(57)【要約】【課題】調光スクリーンにより太陽光線の一部を室内に照射させるか、太陽光線の一部を遮り、室内に取り込む太陽光の量を調整したり太陽光を遮って室内の採光状態を調整する調光スクリーン構造を提供する。【解決手段】調光スクリーン構造は、フレームユニット１、ガイドユニット２及び調光スクリーン３を備える。フレームユニット１は、固定レール１１と、固定レール１１の両端に対となるように設けられるとともに内面に軸孔を有する２つの側座１２と、側座１２内に配設された回転ホイールアセンブリ１３と、側座１２間に横設され、一端に回転ホイールアセンブリ１３が接続され、フレームユニット１に回転可能に横設された伝動軸１４とを有する。ガイドユニット２は、２つの側壁２１と、重り杆２２と、巻取杆２３とを有する。調光スクリーン３は、フレームユニット１とガイドユニット２との間に配設される。【選択図】図１
0003203701.tif 000002
【実用新案登録請求の範囲】
【請求項１】
フレームユニット、ガイドユニット及び調光スクリーンを備えるとともに、スクリーンに取付ける調光スクリーン構造であって、
前記フレームユニットは、固定レールと、前記固定レールの両端に対となるように設けられるとともに内面に軸孔を有する２つの側座と、前記側座内に配設された回転ホイールアセンブリと、前記側座間に横設され、一端に前記回転ホイールアセンブリが接続され、前記フレームユニットに回転可能に横設された伝動軸と、を有し、
前記ガイドユニットは、前記フレームユニットの下部に配設されるとともに、２つの側壁と、前記２つの側壁の底端に横設されて固定された重り杆と、前記２つの側壁の頂端に回転可能に横設され、前記重り杆との間に挿通空間が形成された巻取杆と、を有し、
前記調光スクリーンは、前記フレームユニットと前記ガイドユニットとの間に配設され、
前記調光スクリーンは、頂端が前記フレームユニットの前記固定レールの上縁に固定されて垂下げられ、終端が前記ガイドユニットの前記重り杆と前記巻取杆との間に形成された前記挿通空間に挿通されて前記巻取杆に貼着され、前記フレームユニットの前記伝動軸に接続されて巻き付けられ、前記調光スクリーンが２層式に成形され、前記調光スクリーンには、複数の遮光部及び複数の透光部が設けられ、前記遮光部と前記透光部とは間隔をおいて縦方向で配列され、前記透光部には、横方向で等間隔に配列された複数の貫通孔が形成され、前記ガイドユニットにより下方へ引っ張られると、前記調光スクリーンが前記ガイドユニットの前記巻取杆と前記フレームユニットの前記伝動軸の回転とにより、２層式タイプの前記調光スクリーンが下方へ引っ張られて展開され、前記調光スクリーンが垂下げられ、前記２層式タイプの調光スクリーンの前記透光部が重ねられる際、前記調光スクリーンの前記透光部に形成された前記貫通孔を介して光線が室内に照射され、
前記２層式タイプの調光スクリーンの前記遮光部と前記透光部とが重ねられると、前記透光部に形成された前記貫通孔が前記調光スクリーンの前記遮光部により遮られて、前記調光スクリーンの前記遮光部により遮光され、前記透光部に形成された非透光貫通孔を介して室内に照射されることを防いで遮光効果を得ることを特徴とする調光スクリーン構造。
【請求項２】
前記調光スクリーンの前記遮光部及び前記透光部は、縦方向に交互に配列され、前記遮光部の高さ面積は、前記透光部の高さ面積より大きく、前記透光部に形成された前記貫通孔が前記遮光部により遮られることを特徴とする請求項１に記載の調光スクリーン構造。
【請求項３】
前記透光部の前記貫通孔は、幾何学的形状に形成されることを特徴とする請求項２に記載の調光スクリーン構造。
【請求項４】
前記貫通孔の幾何学的形状は、菱形、正方形、円形、楕円形、三角形その他多角形及びにこれらの組み合わせからなるもののうちの何れか１つであることを特徴とする請求項３に記載の調光スクリーン構造。
【請求項５】
前記貫通孔の幾何学的形状は、模様、線模様、波模様、文字、数字、人物、動物、植物、アニメを模した形状及びにこれらの組み合わせからなるもののうちの何れか１つであることを特徴とする請求項３に記載の調光スクリーン構造。
【請求項６】
前記調光スクリーン全体は、非透光であることを特徴とする請求項２に記載の調光スクリーン構造。
【請求項７】
前記調光スクリーンは、布材料、プラスチック材料又はポリエステル繊維からなることを特徴とする請求項６に記載の調光スクリーン構造。
【考案の詳細な説明】
【技術分野】
【０００１】
本考案は、調光スクリーン構造に関し、特に、調光スクリーンにより太陽光線の一部を照射するか、太陽光線の一部を遮り、室内に照射される太陽光の量を調整するか遮り、室内の採光状態を調整する調光スクリーン構造に関する。
【背景技術】
【０００２】
従来の磁気吸引式スクリーンは、生地、少なくとも１つの磁性ユニット及び少なくとも１つの金属ユニットを含む。生地は、上端、下端及び布面を有する。磁性ユニットは、生地の布面の所定箇所に接続される。金属ユニットは、磁性ユニットに対して一定の間隔が空けられた生地の布面に接続され、金属ユニットを磁性ユニットに吸着させ、生地を畳んで収納することができるため、使用が安全で容易である。
【０００３】
従来の磁気吸引式スクリーンは、調整杆を使用して金属ユニットに吸着し、金属ユニットと磁性ユニットとを吸着させると、生地が上方へ畳まれて収容される一方、反対に金属ユニットと磁性ユニットとを分離すると、生地を展開して垂下げることができるが、生地の展開及び垂下げを全体的に行って太陽光線を取り込むか遮るため、太陽光線を部分的に照射したり、部分的に遮ったりすることができなかったため、改善が求められていた。
【考案の概要】
【考案が解決しようとする課題】
【０００４】
本考案の主な目的は、調光スクリーンにより太陽光線の一部を照射するか、太陽光線の一部を遮り、室内に取り込む太陽光の量を調整するか遮り、室内の採光状態を調整する調光スクリーン構造を提供することにある。
【課題を解決するための手段】
【０００５】
上記課題を解決するために、本考案の第１の形態によれば、フレームユニット、ガイドユニット及び調光スクリーンを備えるとともに、スクリーンに取付ける調光スクリーン構造であって、前記フレームユニットは、固定レールと、前記固定レールの両端に対となるように設けられるとともに内面に軸孔を有する２つの側座と、前記側座内に配設された回転ホイールアセンブリと、前記側座間に横設され、一端に前記回転ホイールアセンブリが接続され、前記フレームユニットに回転可能に横設された伝動軸と、を有し、前記ガイドユニットは、前記フレームユニットの下部に配設されるとともに、２つの側壁と、前記２つの側壁の底端に横設されて固定された重り杆と、前記２つの側壁の頂端に回転可能に横設され、前記重り杆との間に挿通空間が形成された巻取杆と、を有し、前記調光スクリーンは、前記フレームユニットと前記ガイドユニットとの間に配設され、前記調光スクリーンは、頂端が前記フレームユニットの前記固定レールの上縁に固定されて垂下げられ、終端が前記ガイドユニットの前記重り杆と前記巻取杆との間に形成された前記挿通空間に挿通されて前記巻取杆に貼着され、前記フレームユニットの前記伝動軸に接続されて巻き付けられ、前記調光スクリーンが２層式に成形され、前記調光スクリーンには、複数の遮光部及び複数の透光部が設けられ、前記遮光部と前記透光部とは間隔をおいて縦方向で配列され、前記透光部には、横方向で等間隔に配列された複数の貫通孔が形成され、前記ガイドユニットにより下方へ引っ張られると、前記調光スクリーンが前記ガイドユニットの前記巻取杆と前記フレームユニットの前記伝動軸の回転とにより、２層式タイプの前記調光スクリーンが下方へ引っ張られて展開され、前記調光スクリーンが垂下げられ、前記２層式タイプの調光スクリーンの前記透光部が重ねられる際、前記調光スクリーンの前記透光部に形成された前記貫通孔を介して光線が室内に照射され、前記２層式タイプの調光スクリーンの前記遮光部と前記透光部とが重ねられると、前記透光部に形成された前記貫通孔が前記調光スクリーンの前記遮光部により遮られて、前記調光スクリーンの前記遮光部により遮光され、前記透光部に形成された非透光貫通孔を介して室内に照射されることを防いで遮光効果を得ることを特徴とする調光スクリーン構造が提供される。
【考案の効果】
【０００６】
本考案の調光スクリーン構造は、調光スクリーンにより太陽光線の一部を照射するか、太陽光線の一部を遮り、室内に取り込む太陽光の量を調整するか遮り、室内の採光状態を調整することができる。
【図面の簡単な説明】
【０００７】
【図１】本考案の一実施形態に係る調光スクリーン構造を示す斜視図である。
【図２】本考案の一実施形態に係る調光スクリーン構造を示す分解斜視図である。
【図３】本考案の一実施形態に係る調光スクリーン構造を示す断面図である。
【図４】本考案の一実施形態に係る調光スクリーン構造のロールスクリーンを展開した状態を示す説明図である。
【図５】本考案の一実施形態に係る調光スクリーン構造のロールスクリーンを収納した状態を示す説明図である。
【考案を実施するための形態】
【０００８】
まず、図１〜図３を参照する。図１〜図３に示すように、本考案の一実施形態に係る調光スクリーン構造は、少なくともフレームユニット１、ガイドユニット２及び調光スクリーン３から構成されてなる。
【０００９】
フレームユニット１は、金属材料からなる。金属材料は、銅、ステンレス、アルミニウム、亜鉛又は鉄からなる。フレームユニット１は、固定レール１１、２つの側座１２、回転ホイールアセンブリ１３及び伝動軸１４を有する。固定レール１１は、長尺状を呈する。側座１２は、固定レール１１の両端に対となるように設けられる。各側座１２の内面には、軸孔１２１が形成される。各側座１２の各軸孔１２１は互いに対応するように形成されている。回転ホイールアセンブリ１３は、側座１２内に配設されている。伝動軸１４は、２つの側座１２間に横設される。伝動軸１４の一端には、回転ホイールアセンブリ１３が接続され、フレームユニット１に横設された伝動軸１４は回転可能に接続される。回転ホイールアセンブリ１３は、伝動軸１４を駆動して調光スクリーン３を垂下げたり巻き上げたりする。
【００１０】
２つの側座１２は、固定レール１１の両側に螺着される。各側座１２の内側頂端面には、延伸されて孔が形成された螺着片１２２が設けられ、２つの螺着部材１５をそれぞれ各側座１２の螺着片１２２に枢着して固定レール１１の両側に螺着する。
【００１１】
ガイドユニット２は、フレームユニット１の下部に配設される。ガイドユニット２は、２つの側壁２１、重り杆２２及び巻取杆２３を有する。重り杆２２は、２つの側壁２１の底端に横設されて固定される。巻取杆２３は、２つの側壁２１の頂端に回転可能に横設され、重り杆２２と巻取杆２３との間には挿通空間２０が形成されている。
【００１２】
調光スクリーン３は、フレームユニット１とガイドユニット２との間に配設される。調光スクリーン３は、所定の長さに切断されて成形される。調光スクリーン３の頂端は、フレームユニット１の固定レール１１の上縁に固定されて垂下げられる。調光スクリーン３の終端は、ガイドユニット２の重り杆２２と巻取杆２３との間に形成された挿通空間２０に挿通されて巻取杆２３に貼着され、フレームユニット１の伝動軸１４に接続されて巻き付けられ、調光スクリーン３が２層式に成形される。調光スクリーン３には、複数の遮光部３１及び複数の透光部３２が設けられる。複数の遮光部３１と複数の透光部３２とは間隔をおいて縦方向で配列される。各透光部３２には、複数の貫通孔３２１が形成され、等間隔で横方向に配列される。ガイドユニット２を下方へ引っ張ると、調光スクリーン３がガイドユニット２の巻取杆２３とフレームユニット１の伝動軸１４とにより回転され、２層式のタイプにより調光スクリーン３が下方へ引っ張られて展開される。
【００１３】
図３と併せて図４及び図５を参照する。図３〜図５に示すように、本考案の一実施形態に係る調光スクリーン構造は、ロールスクリーンに取り付けた調光スクリーン３に応用する。このロールスクリーンは、フレームユニット１、２つの側座１２、回転ホイールアセンブリ１３及び伝動軸１４を含む。フレームユニット１は、固定レール１１を有する。側座１２は、固定レール１１の両端に対となるように設けられる。回転ホイールアセンブリ１３は、２つの側座１２のうちの一つに設置される。伝動軸１４は、２つの側座１２間に横設される。伝動軸１４は、一端が回転ホイールアセンブリ１３に連結され、フレームユニット１に回転可能に横設される。回転ホイールアセンブリ１３は、伝動軸１４を駆動して調光スクリーン３を下方へ垂下げたり巻き上げたりするために用いる。ガイドユニット２は、フレームユニット１の下方に位置する。ガイドユニット２は、２つの側壁２１を有する。重り杆２２は、２つの側壁２１の底端に横設されて固定される。巻取杆２３は、２つの側壁２１の頂端に回転可能に横設され、重り杆２２と巻取杆２３との間には挿通空間２０が形成される。調光スクリーン３は、フレームユニット１とガイドユニット２との間に配設される。
【００１４】
調光スクリーン３は、頂端がフレームユニット１の固定レール１１の上縁に固定され、垂下げられた状態であり、終端がガイドユニット２の重り杆２２と巻取杆２３との間に形成された挿通空間２０に挿通されて巻取杆２３に貼着され、フレームユニット１の伝動軸１４に接続されて巻き付けられ、調光スクリーン３が２層式タイプに成形される。調光スクリーン３は、複数の遮光部３１及び複数の透光部３２を有する。複数の遮光部３１と、複数の透光部３２とは、間隔をおいて縦方向で配列される。各透光部３２は、複数の貫通孔３２１を有し、横方向で等間隔に配列される。
【００１５】
調光スクリーン３の各遮光部３１及び各透光部３２は、縦方向で互いに挿設されて形成される。各遮光部３１の高さＨ１の面積は、各透光部３２の高さＨ２の面積より大きく、各透光部３２に形成された貫通孔３２１が各遮光部３１により覆われる。調光スクリーン３全体は、非透光である。調光スクリーン３は、布材料、プラスチック材料又はポリエステル繊維からなる。
【００１６】
各透光部３２の貫通孔３２１は、幾何学的形状に形成される。各貫通孔３２１の幾何学的形状とは、菱形、正方形、円形、楕円形、三角形その他多角形及びにこれらの組み合わせからなるもののうちの何れか１つである。
【００１７】
各貫通孔３２１の幾何学的形状とは、模様、線模様、波模様、文字、数字、人物、動物、植物、アニメを模した形状及びにこれらの組み合わせからなるもののうちの何れか１つである。
【００１８】
フレームユニット１の側座１２内に配設された回転ホイールアセンブリ１３は、弾性軸アセンブリに変更してもよい。弾性軸アセンブリは、伝動軸１４の一端内部に設けられるとともに側座１２の軸孔１２１に接続される。弾性軸アセンブリは、伝動軸１４及び調光スクリーン３を駆動し、垂下げたり巻き上げたりする。
【００１９】
上述の構造では、ロールスクリーンをドア、窓枠に掛合させるか当接させた後、ガイドユニット２を引っ張り下げて位置決めし、調光スクリーン３がガイドユニット２の巻取杆２３とフレームユニット１の伝動軸１４とにより回転され、２層式タイプの調光スクリーン３を垂下げて展開状態にし、調光スクリーン３を垂下げて２層式タイプの調光スクリーン３の各透光部３２を重ねると、調光スクリーン３の各透光部３２に形成された各貫通孔３２１を介して光線が室内に照射され、光透過効果を得ることができる（図４を参照する）。また、２層式タイプの調光スクリーン３の各遮光部３１と各透光部３２とが重ねられると、調光スクリーン３の各遮光部３１により、各透光部３２に形成された各貫通孔３２１が遮られ、調光スクリーン３の各遮光部３１により光線が遮られるため、各透光部３２に形成された貫通孔３２１を介して室内に照射されなくなって遮光効果を得て（図５を参照する）、調光スクリーン３を垂下げて平坦状態を保持し、自宅及び事務所のドア又は窓枠の見た目を良くし、室内の採光状態を改善し、輝度を高めるとともに、太陽光線が目に直接照射されて刺激したり室内温度が上昇したりすることを防ぐことができる。上述したことから分かるように、本考案に係る調光スクリーン構造は、調光スクリーン３を調整して太陽光線を部分的に照射させたり、部分的に遮ったりすることができないため、室内に照射される太陽光線の輝度を調整したり遮光効果を得たりして、室内の採光状態を変えることができる。
【符号の説明】
【００２０】
１    フレームユニット
２    ガイドユニット
３    調光スクリーン
１１  固定レール
１２  側座
１３  回転ホイールアセンブリ
１４  伝動軸
１５  螺着部材
２０  挿通空間
２１  側壁
２２  重り杆
２３  巻取杆
３１  遮光部
３２  透光部
１２１  軸孔
１２２  螺着片
３２１  透光
Ｈ１  高さ
Ｈ２  高さ
【図１】
0003203701.tif 000003
【図２】
0003203701.tif 000004
【図３】
0003203701.tif 000005
【図４】
0003203701.tif 000006
【図５】
0003203701.tif 000007